(57)【要約】【課題】内部時計が合っていない場合でも必要最低限のコンテンツを再生可能なデジタルサイネージ装置及びデジタルサイネージ装置におけるコンテンツ再生方法を提供する。【解決手段】コンテンツ格納部はコンテンツデータを記憶する。プレイリスト格納部は再生時刻を規定した第１のプレイリストと、再生時刻を規定しない第２のプレイリストの少なくとも２種類のプレイリストを格納する。制御部は第１のプレイリストが規定する再生時刻が内部時計の示す時刻に該当するか否かを判定し、該当すると判定した場合第１のプレイリストに基づいてコンテンツデータの再生を指示し、該当しないと判定した場合第２のプレイリストに基づいてコンテンツデータの再生を指示する。【選択図】図１
2014157531.tif 000002
【特許請求の範囲】
【請求項１】
コンテンツデータ格納部と、
プレイリスト格納部と、
内部時計と、
前記コンテンツデータ格納部に格納されたコンテンツデータを再生処理する信号処理部と、
前記プレイリスト格納部に格納されたプレイリストに基づき、前記コンテンツデータの再生処理を前記信号処理部に指示する制御部と、
表示部と
を備え、
前記プレイリスト格納部は、
再生時刻を規定した第１のプレイリストと、再生時刻を規定しない第２のプレイリストの少なくとも２種類のプレイリストを格納しており、
前記制御部は、前記第１のプレイリストが規定した再生時刻が前記内部時計の示す時刻に該当するか否かを判定し、
該当すると判定した場合、前記第１のプレイリストに基づいてコンテンツデータの再生を前記信号処理部に指示し、
該当しないと判定した場合、前記第２のプレイリストに基づいてコンテンツデータの再生を前記信号処理部に指示する
ことを特徴とするデジタルサイネージ装置。
【請求項２】
コンテンツデータ格納部と、
記憶するプレイリスト格納部と、
内部時計と、
前記コンテンツデータ格納部に格納されたコンテンツデータを再生処理する信号処理部と、
前記プレイリスト格納部に格納されたプレイリストに基づき、前記コンテンツデータの再生処理を前記信号処理部に指示する制御部と、
表示部と
を備え、
前記プレイリスト格納部は、
再生時刻を規定した第１のプレイリストと、再生時刻を規定しない第２のプレイリストの少なくとも２種類のプレイリストを格納しており、
前記制御部は、前記内部時計が校正されているか否かを判定し、
校正されていると判定した場合前記第１のプレイリストに基づいてコンテンツデータの再生処理を前記信号処理部に指示し、
校正されていないと判定した場合前記第２のプレイリストに基づいてコンテンツデータの再生処理を前記信号処理部に指示する
ことを特徴とするデジタルサイネージ装置。
【請求項３】
前記制御部は、
前記信号処理部が前記第２のプレイリストに基づいてコンテンツデータを再生している時に、前記第１のプレイリストが規定する再生時刻が前記内部時計の示す時刻に該当すると判定すると、前記信号処理部に前記第１のプレイリストに基づいてコンテンツデータを再生することを指示する
ことを特徴とする請求項１記載のデジタルサイネージ装置。
【請求項４】
前記制御部は、
前記信号処理部が前記第２のプレイリストに基づいてコンテンツデータを再生している時に、前記内部時計が校正されたと判定すると、前記信号処理部に前記第１のプレイリストに基づいてコンテンツデータを再生することを指示する
ことを特徴とする請求項２記載のデジタルサイネージ装置。
【請求項５】
ネットワークを介してＮＴＰサーバや配信サーバと通信を行うネットワーク接続部を更に備え、
前記内部時計は前記ＮＴＰサーバとの通信によって時刻の校正を行なう
ことを特徴とする請求項１〜４のいずれか１項に記載のデジタルサイネージ装置。
【請求項６】
コンテンツデータを記憶するステップと、
再生時刻を規定した第１のプレイリストと、再生時刻を規定しない第２のプレイリストの少なくとも２種類のプレイリストを記憶するステップと、
前記第１のプレイリストが規定する再生時刻が内部時計の示す時刻に該当するか否かを判定するステップと、
前記第１のプレイリストが規定する再生時刻が前記内部時計の示す時刻に該当すると判定した場合、前記第１のプレイリストに基づいて前記コンテンツデータの再生処理を行ない、前記第１のプレイリストが規定する再生時刻が前記内部時計の示す時刻に該当しないと判定すると、前記第２のプレイリストに基づいて前記コンテンツデータの再生処理を行なうステップと
を有することを特徴とするデジタルサイネージ装置のコンテンツ再生方法。
【請求項７】
コンテンツデータを記憶するステップと、
再生時刻を規定した第１のプレイリストと、再生時刻を規定しない第２のプレイリストの少なくとも２種類のプレイリストを記憶するステップと、
内部時計が校正されているか否かを判定するステップと、
前記内部時計が校正されていると判定した場合前記第１のプレイリストに基づいてコンテンツデータを再生し、校正されていないと判定した場合前記第２のプレイリストに基づいてコンテンツデータを再生するステップと
を有することを特徴とするデジタルサイネージ装置のコンテンツ再生方法。
【発明の詳細な説明】
【技術分野】
【０００１】
本発明は、記録したコンテンツをプレイリストに従って再生するデジタルサイネージ装置及びデジタルサイネージ装置のコンテンツ再生方法に関する。
【背景技術】
【０００２】
近年、大型ディスプレイを公共スペースや店舗などに設置し、不特定多数の人に広告映像や文字情報を表示するデジタルサイネージ装置が普及してきている。（例えば、特許文献１参照）
【先行技術文献】
【特許文献】
【０００３】
【特許文献１】特開２００９−２９５０１６号公報
【発明の概要】
【発明が解決しようとする課題】
【０００４】
デジタルサイネージ装置には、配信サーバ等からネットワークを介して配信されたコンテンツを記憶し、事業主等によって指定されたタイムスケジュールに従って再生させるものがある。このようなデジタルサイネージ装置では、内部時計の時間情報が再生の基準になる。
【０００５】
ネットワーク接続する機器の場合、内部時計の校正はＮＴＰ（Network Time Protocol）サーバから取得した正確な時間情報により行うことができる。一般的には、機器の電源投入時にＮＴＰサーバと接続して内部時計を合わせる。従って、内部時計の校正をＮＴＰサーバによって行うデジタルサイネージ装置において、ネットワークトラブル等でＮＴＰサーバから時間情報を取得できない状態になった場合、機器の内部時計を合わせることができなくなる。よって内部時計の時間情報に基づいてスケジューリングされたコンテンツを再生することができなくなるという問題が発生する。
【０００６】
この問題を解決するために、電池を使った時計バックアップを行う構成とすることが考えられるが、この場合電源回りの回路が煩雑になりコストアップに繋がる。また、電波時計を利用する構成とした場合は、同様にコストアップに繋がる上、機器の設置場所が電波の届く範囲に制約されてしまう。
そこで、内部時計が合っていない状態でもコンテンツを再生し表示できるようにすることが課題となる。本発明は内部時計が合っていない状態でも必要最低限のコンテンツを再生し表示することが可能な、デジタルサイネージ装置及びデジタルサイネージ装置のコンテンツ再生方法を提供することを目的とする。
【課題を解決するための手段】
【０００７】
本発明は上述した従来技術の課題を解決するため、コンテンツデータ格納部（１０８）と、プレイリスト格納部（１０６）と、内部時計（１１４）と、前記コンテンツデータ格納部に格納されたコンテンツデータを再生処理する信号処理部（１１０）と、前記プレイリスト格納部に格納されたプレイリストに基づき、前記コンテンツデータの再生処理を前記信号処理部に指示する制御部（１０４）と、表示部（１１２）とを備え、前記プレイリスト格納部は、再生時刻を規定した第１のプレイリストと、再生時刻を規定しない第２のプレイリストの少なくとも２種類のプレイリストを格納しており、前記制御部は、前記第１のプレイリストが規定した再生時刻が前記内部時計の示す時刻に該当するか否かを判定し、該当すると判定した場合、前記第１のプレイリストに基づいてコンテンツデータの再生を前記信号処理部に指示し、該当しないと判定した場合、前記第２のプレイリストに基づいてコンテンツデータの再生を前記信号処理部に指示することを特徴とするデジタルサイネージ装置を提供する。
【０００８】
また、本発明は上述した従来技術の課題を解決するため、コンテンツデータ格納部と、記憶するプレイリスト格納部と、内部時計と、前記コンテンツデータ格納部に格納されたコンテンツデータを再生処理する信号処理部と、前記プレイリスト格納部に格納されたプレイリストに基づき、前記コンテンツデータの再生処理を前記信号処理部に指示する制御部と、表示部とを備え、前記プレイリスト格納部は、再生時刻を規定した第１のプレイリストと、再生時刻を規定しない第２のプレイリストの少なくとも２種類のプレイリストを格納しており、前記制御部は、前記内部時計が校正されているか否かを判定し、校正されていると判定した場合前記第１のプレイリストに基づいてコンテンツデータの再生処理を前記信号処理部に指示し、校正されていないと判定した場合前記第２のプレイリストに基づいてコンテンツデータの再生処理を前記信号処理部に指示することを特徴とするデジタルサイネージ装置を提供する。
【０００９】
また、本発明は上述した従来技術の課題を解決するため、コンテンツデータを記憶するステップと、再生時刻を規定した第１のプレイリストと、再生時刻を規定しない第２のプレイリストの少なくとも２種類のプレイリストを記憶するステップと、前記第１のプレイリストが規定する再生時刻が内部時計の示す時刻に該当するか否かを判定するステップと、前記第１のプレイリストが規定する再生時刻が前記内部時計の示す時刻に該当すると判定した場合、前記第１のプレイリストに基づいて前記コンテンツデータの再生処理を行ない、前記第１のプレイリストが規定する再生時刻が前記内部時計の示す時刻に該当しないと判定すると、前記第２のプレイリストに基づいて前記コンテンツデータの再生処理を行なうステップとを有することを特徴とするデジタルサイネージ装置のコンテンツ再生方法を提供する。
【００１０】
また、本発明は上述した従来技術の課題を解決するため、コンテンツデータを記憶するステップと、再生時刻を規定した第１のプレイリストと、再生時刻を規定しない第２のプレイリストの少なくとも２種類のプレイリストを記憶するステップと、内部時計が校正されているか否かを判定するステップと、前記内部時計が校正されていると判定した場合前記第１のプレイリストに基づいてコンテンツデータを再生し、校正されていないと判定した場合前記第２のプレイリストに基づいてコンテンツデータを再生するステップとを有することを特徴とするデジタルサイネージ装置のコンテンツ再生方法を提供する。
【発明の効果】
【００１１】
本発明によれば、内部時計が合っていない場合でも必要最低限のコンテンツを再生し表示することが可能な、デジタルサイネージ装置及びデジタルサイネージ装置のコンテンツ再生方法を提供することができる。
【図面の簡単な説明】
【００１２】
【図１】第１及び第２の実施形態に係るデジタルサイネージ再生装置の概略構成図である。
【図２】第１及び第２の実施形態に係るプレイリストの一例である。
【図３】第１及び第２の実施形態に係る代替プレイリストの一例である。
【図４】第１実施形態における制御の流れを説明するためのフローチャートである。
【図５】第２実施形態における制御の流れを説明するためのフローチャートである。
【発明を実施するための形態】
【００１３】
以下、本発明に係るデジタルサイネージ装置の一実施形態ついて、添付図面を参照して説明する。
【００１４】
＜第１実施形態＞
図１は本実施形態に係るデジタルサイネージ装置の概略構成図である。デジタルサイネージ装置１００は、ネットワーク２００を通じて、ＮＴＰサーバ３００や配信サーバ４００と通信を行う。デジタルサイネージ装置１００は、ネットワーク２００と通信を行うネットワーク接続部１０２と、装置全体の制御を行う制御部１０４と、プレイリストを格納するプレイリスト格納部１０６と、コンテンツデータを格納するコンテンツデータ格納部１０８と、コンテンツデータの信号処理を行なう信号処理部１１０と、コンテンツを表示する表示部１１２と、内部時計１１４とから構成される。
【００１５】
ネットワーク接続部１０２は、ネットワーク２００を通じてＮＴＰサーバ３００から時間情報を受け取り、制御部１０４に送る。制御部１０４は受け取った時間情報に基づいて内部時計１１４の校正を行う。また、ネットワーク接続部１０２は同様にネットワーク２００を通じて配信サーバ４００と通信を行い、プレイリストとコンテンツデータを受けとり、プレイリストをプレイリスト格納部１０６へ、コンテンツデータをコンテンツデータ格納部１０８へ送る。プレイリスト格納部１０６は受け取ったプレイリストを記憶する。コンテンツデータ格納部１０８は受け取ったコンテンツデータを記憶する。プレイリスト格納部１０６とコンテンツデータ格納部１０８はハードディスクドライブや不揮発性メモリ等の記録媒体で構成すれば良く、１つの記録媒体を共有しても良い。
【００１６】
制御部１０４は、内部時計１１４の時間情報を基準にプレイリスト格納部１０６に格納されたプレイリストに基づいて、信号処理部１１０にコンテンツの再生を指示する。信号処理部１１０は制御部１０４が指示するコンテンツのコンテンツデータを表示部１１２の表示形式に合わせて信号処理する。表示部１１２は、例えば液晶表示装置で構成され、コンテンツを表示する。
【００１７】
通常使用するプレイリストには開始時刻と終了時刻が規定されており、その中で再生するコンテンツの表示順と表示時間が相対時間で定義されている。図２に本実施形態のプレイリストの一例を示す。図２の例では開始時刻が２０１２年９月２５日の６時３０分、終了時刻が同日の１１時３０分であり、コンテンツaaa.jpg、コンテンツbbb.jpg・・・の順に再生するように定義されている。プレイリストは複数使用可能とし、時間帯に応じて再生に適したコンテンツを設定できるようになっている。内部時計１１４が校正されている状態であれば、図２のように絶対時間で定義したプレイリストでコンテンツ再生が可能であり、通常はこのプレイリストに基づいてコンテンツを再生する。
【００１８】
内部時計１１４はバックアップ電源を持たないため、デジタルサイネージ装置１００の電源を切ると時間情報が０にリセットされる。通常は、デジタルサイネージ装置１００の電源立ち上げ後にＮＴＰサーバから時間情報を取得して内部時計１１４が校正されるが、この時にネットワークトラブル等でＮＴＰサーバから時間情報を取得できないと内部時計の校正ができず、図２のプレイリストではコンテンツの再生はできない。
【００１９】
そこで、プレイリストの再生時刻を規定しない代替プレイリストを用いる。代替プレイリストの一例を図３に示す。図３の例では開始時刻、終了時刻の欄を両方とも０とし、コンテンツccc.jpg、コンテンツddd.jpg・・・の順に再生するように定義されている。
【００２０】
更に図４のフローチャートを用いて制御の流れを説明する。ステップＳ１で、制御部１０４は内部時計１１４が校正されているか否かを判定する。校正されている（ｙｅｓ）と判定した場合、ステップＳ２に進み、通常のプレイリストに基づいてコンテンツ再生を行う。ステップＳ１で、校正されていない（ｎｏ）と判定した場合、ステップＳ３に進み、代替プレイリストに基づいてコンテンツ再生を行う。制御部１０４は代替プレイリストでのコンテンツ再生中も内部時計１１４が校正されたか否かの判定を所定時間間隔毎に行い、内部時計が校正されたと判定（ステップＳ１：ｙｅｓ）すると、ステップＳ２に進み、通常プレイリストでのコンテンツ再生に移行する。内部時計が校正されているか否かの判定を行なう時間間隔は、例えば１分毎に行なうように設定しておけば良く、あるいはユーザが任意に設定できる構成としても良い。
【００２１】
以上説明したように、再生時刻を規定したプレイリストと、再生時刻を規定しない代替プレイリストの２種類のプレイリストを用意し、内部時計が校正されているか否かでプレイリストを使い分けることで、内部時計が校正されていない状態でもコンテンツ再生を行うことができる。また、代替プレイリストでのコンテンツ再生中でも内部時計が校正されると通常のプレイリストによる再生に移行するため、ユーザの意図したコンテンツ再生を行うことができる。
【００２２】
＜第２実施形態＞
本実施形態では、制御部１０４の動作が第１実施形態に対し一部異なる以外は第１実施形態と同様である。第１実施形態では、制御部１０４が内部時計１１４が校正されているか否かを判定して、その判定結果から通常のプレイリストを使用するか代替プレイリストを使用するかを制御したが、本実施形態では現在時刻に合うプレイリストがない場合に代替プレイリストを使用するように制御する。
【００２３】
図４は本実施形態の制御の流れを説明するためのフローチャートである。ステップＳ１１で、制御部１０４はプレイリスト格納部１０６に内部時計１１４が示す現在時刻に該当するプレイリストがあるか否かを判定する。現在時刻に該当するプレイリストがある（ｙｅｓ）と判定した場合、ステップＳ１２に進み、該当するプレイリストに基づいてコンテンツ再生を行う。ステップＳ１１で現在時刻に該当したプレイリストがない（ｎｏ）と判定した場合、ステッＳ１３に進み、代替プレイリストに基づいてコンテンツ再生を行う。制御部１０４は代替プレイリストでのコンテンツ再生中も現在時刻に該当するプレイリストの有無の判定を所定時間間隔毎に行い、現在時刻に該当するプレイリストがあると判定（ステップＳ１１：ｙｅｓ）すると、ステップＳ１２に進み、該当するプレイリストでのコンテンツ再生に移行する。現在時刻に該当するプレイリストがあるか否かの判定を行なう時間間隔は、例えば１分毎に行なうように設定しておけば良く、あるいはユーザが任意に設定できる構成としても良い。
【００２４】
以上説明したように、再生時刻を規定したプレイリストと、再生時刻を規定しない代替プレイリストの２種類のプレイリストを用意し、現在時刻に該当するプレイリストがない場合に代替プレイリストを使用する構成とすることで、第１実施形態と同様に、内部時計が校正されていない状態でもコンテンツ再生を行うことができる。更に、ネットワークトラブル等で必要なプレイリストを受け取ることができなかった場合でも代替プレイリストによって再生を行うことができる。また、代替プレイリストでのコンテンツ再生中でも現在時刻に該当するプレイリストがあると判定されると、該当するプレイリストによる再生に移行するため、ユーザの意図したコンテンツ再生を行うことができる。
【００２５】
第１、第２の実施形態で代替プレイリストは、開始時刻と終了時刻の両方が規定されていない例を示したが、両方とも規定されていない必要は無く、少なくとも開始時刻が規定されていなければ良い。また代替プレイリストの時刻設定欄の記載は０でなくとも良く、文字等でも良い。
本発明は以上説明した本実施形態に限定されるものではなく、本発明の要旨を逸脱しない範囲において種々変更可能である。また、第１の実施形態の構成と第２の実施形態の構成は組み合わせて実施することも可能である。
【符号の説明】
【００２６】
１００  デジタルサイネージ装置、１０２  ネットワーク接続部、
１０４  制御部、１０６  プレイリスト格納部、
１０８  コンテンツデータ格納部、１１０  信号処理部、１１２  表示部、
１１４  時計、  ２００  ネットワーク、３００  ＮＴＰサーバ、
４００  配信サーバ
【図１】
2014157531.tif 000003
【図２】
2014157531.tif 000004
【図３】
2014157531.tif 000005
【図４】
2014157531.tif 000006
【図５】
2014157531.tif 000007